(57)【特許請求の範囲】
【請求項１】
前方に第１の開口部を有し水平方向または傾斜方向に回転軸を有する有底円筒状の回転ドラムと、前記第１の開口部に対応する第２の開口部を有し前記回転ドラムを回転自在に内包する有底円筒状の水受け槽と、前記水受け槽を揺動可能に支持し前記第１の開口部および第２の開口部に対応する第３の開口部を有する洗濯機本体と、前記洗濯機本体に設けられ前記回転ドラム内への洗濯物の出し入れのために第３の開口部を開閉する扉体と、前記回転ドラムを回転駆動するモータと、前記水受け槽内の洗濯水を加熱する加熱手段と、前記水受け槽内の洗濯水の温度を検知する温度検知手段と、前記水受け槽に連通し給水する第１の給水手段と、前記回転ドラムの第１の開口部より前記回転ドラム内に給水する第２の給水手段と、前記水受け槽内の洗濯水の水位を検知する水位検知手段と、前記水受け槽の底部に連通した排水経路の途中に設けられ前記水受け槽内の洗濯水の排水を制御する排水手段と、前記温度検知手段および水位検知手段等からのデータを入力し前記モータ、加熱手段、給水手段および排水手段等を制御して一連の洗濯、すすぎ、脱水動作を制御する制御手段とを備え、前記制御手段は、前記加熱手段を制御して洗濯水を第１の所定温度以上に加熱して洗濯を行う高温洗濯行程を有し、前記高温洗濯行程終了後の排水行程において、少なくとも前記第２の給水手段によって一部または全量の給水を行い、前記加熱された洗濯水が第２の所定温度になるまで、前記各給水手段および前記排水手段を制御して給水および排水を繰り返す冷却動作を実行するようにしたドラム式洗濯機。
【請求項２】
制御手段は、高温洗濯行程時における水位が、加熱手段を動作しない通常の洗濯行程の水位より低い第１の所定水位となるように設定した請求項１記載のドラム式洗濯機。
【請求項３】
水受け槽は、前記水受け槽内の洗濯水の水位が第２の所定水位以上になると排水経路に溢水する溢水口を有し、制御手段は、冷却動作実行時における最高水位が、前記第２の所定水位より低い第３の所定水位となるように設定した請求項１または２に記載のドラム式洗濯機。
【請求項４】
制御手段は、冷却動作実行時、第３の所定水位にて第１の所定時間モータを制御し回転ドラムを回転駆動することで前記回転ドラム内の洗濯物と洗濯水を撹拌するようにした請求項３記載のドラム式洗濯機。
【請求項５】
制御手段は、冷却動作実行時、第３の所定水位にて第１の所定時間モータを制御し回転ドラムを回転駆動するとともに温度検知手段により洗濯水の温度を検知するようにした請求項４記載のドラム式洗濯機。
【請求項６】
制御手段は、冷却動作実行時、第３の所定水位にて第１の所定時間モータを制御し回転ドラムを回転駆動するとともに温度検知手段により洗濯水の温度を検知し、前記温度検知手段で検知した温度が第２の所定温度より高い場合、第１の所定水位の近傍の第５の所定水位まで排水した後、再度第３の所定水位まで給水するようにして全水量を排水しきらないようにした請求項５記載のドラム式洗濯機。
【請求項７】
制御手段は、冷却動作実行時、第３の所定水位にて第１の所定時間モータを制御し回転ドラムを回転駆動するとともに温度検知手段により洗濯水の温度を検知し、前記温度検知手段で検知した温度が第２の所定温度以下の場合、水受け槽内の洗濯水をすべて排水した後、次行程に移行するようにした請求項５または６に記載のドラム式洗濯機。
【発明の詳細な説明】
【技術分野】
【０００１】
本発明は、水平方向または略傾斜方向に回転中心軸を有する回転ドラム内で、洗い、すすぎ、脱水を行うドラム式洗濯機に関するものである。
【背景技術】
【０００２】
従来、この種のドラム式洗濯機は図６に示すように構成していた。以下、その構成について説明する。
【０００３】
図６に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ６は、回転ドラム１を第１の回転数Ｎ１（例えば、５３ｒ／ｍｉｎ）で回転させて、洗濯またはすすぎをするものであり、第２のモータ７は、回転ドラム１を第２の回転数Ｎ２（例えば、１０００ｒ／ｍｉｎ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し回転ドラムの低速回転を、第２のモータ７をベルト９を介して減速比が小さい従動プーリー５ｂと連結し回転ドラムの高速回転を実現している。
【０００５】
外槽３は、断面が回転軸４を中心とした略真円形状の外槽本体３ａと外槽本体３ａの開口部を覆う略円状の外槽前板３ｂとで構成し、回転ドラム１を内設すると共に、回転ドラム１と外槽３は、回転軸４と直行する方向の形状を回転軸４を中心として略同心円となるように構成し、底部側にヒータ１４を収容する略凹状の加熱体収容室１５を設けている。
【０００６】
この外槽３は、外箱１０よりばね体１１で揺動可能に吊り下げ、防振ダンパー１２により脱水起動時の振動が低減され、かつ定常脱水時の振動が外箱１０に伝達されないように防振支持するとともに、脱水時の振動を低減する重り１３を設けている。さらに外槽３底部には排水用のホース１６の一端を接続し、ホース１６の他端を排水ポンプ１７に接続して外槽３内の洗濯水を排水するようにしている。上記ヒータ１４の下方近傍には、温度検知装置１８と温度過昇防止装置１９を、外槽本体３ａの底部に固定している。
【０００７】
略筒状のパッキング部材２０は、ゴム等の可撓性材料で構成され回転ドラム１の前面開口部に対応する外槽３の開口部とボデー前面開口部との間を連結するもので、外槽側端部を外槽前板３ｂに固着している。ボデー前面開口部に蓋２１を開閉自在に設けている。給水弁２２は外槽３内に水を給水するものである。制御装置２３は、第１のモータ６、第２のモータ７、ヒータ１４、排水ポンプ１７、給水弁２２などの動作を制御し、洗濯、すすぎ、脱水などの一連の行程を逐次制御する（例えば、特許文献１参照）。
【０００８】
上記構成において動作を説明すると、蓋２１を開いて回転ドラム１内に洗濯物を投入し、電源スイッチ（図示せず）をオンした後、制御装置２３に設けたスタートスイッチ（図示せず）を操作して運転を開始すると、給水弁２２が動作して給水し、水位検知手段（図示せず）により所定の水位を検知すると給水を停止し、第１のモータ６を駆動する。洗濯行程では、洗濯物に水が含まれるため補給水しながら、回転ドラム１は第１のモータ６によって第１の回転数Ｎ１で回転駆動され、回転ドラム１内の洗濯物は持ち上げられて水面上に落下される。
【０００９】
この種のドラム式洗濯機においては、衣類の洗浄効果を高める為、あるいは衣類に付着した細菌類を死滅させる為、洗濯水を高温にする機能が付加されているのが一般的である。
【００１０】
その為には、ヒータ１４に通電して、温度検知装置１８により温度を検知し、外槽３内の洗濯水をほぼ一定の温度に制御しながら加熱する。しかし高温化する一方では安全対策も求められる。仮に、制御装置２３に故障が発生し、外槽３内の水が無いにもかかわらず、ヒータ１４に通電した場合、外槽３内の温度は異常に上昇するが、この時、温度過昇防止装置１９によりヒータ１４への通電は分断され、過熱による機器の損傷や火災まで至ることはない。
【００１１】
洗濯行程が終了すると、排水ポンプ１７が動作して外槽３内の洗濯水を排水する。すすぎ行程においても洗濯行程と同様の動作を行う。
【００１２】
脱水行程では、回転ドラム１は第２のモータ７によって第２の回転数Ｎ２で回転駆動され、洗濯物は遠心脱水される。このとき、回転ドラム１内の洗濯物の片寄り、すなわちアンバランスが生じると、回転ドラム１、外槽３などの揺動体は振動するが、脱水起動時は防振ダンパー１２により揺動体の振動を減衰し、定常脱水時は防振ダンパー１２の防振機構により外箱１０に伝達されることはない。
【特許文献１】特開平１０−２６３２８５号公報
【発明の開示】
【発明が解決しようとする課題】
【００１３】
しかしながらこのような従来の構成では、洗濯水を高温（例えば８０℃以上）に加熱した場合、回転ドラムの温度も同様に高温になり、洗濯行程中あるいは行程終了後に扉体が開く事ができる設定にすると、使用者が内部の回転ドラムに接触して火傷をする危険性があった。あるいは火傷する危険性を防止するため、洗濯、すすぎ、脱水行程終了まで扉体は開かないように制御すると、一度運転開始したら途中で開けられないという不満が生じ
ていた。更に洗濯行程後、多量の高温水をそのまま排水した場合、本体側の排水経路の耐熱性を高める必要があること、また、排水を使用者が触らない条件で行うことなど、課題があった。
【００１４】
本発明は上記従来の課題を解決するもので、高温洗濯行程終了後の排水行程において、加熱された洗濯水が所定温度に下がるまで、給水および排水を繰り返す冷却動作を実行するようにしたもので、排水経路の安全性を向上し、なおかつ高温洗濯後に使用者が安全にいつでも扉体を開けることができ、不安感を払拭できるとともに、利便性を向上したドラム式洗濯機を提供することを目的としている。
【課題を解決するための手段】
【００１５】
前記従来の課題を解決するために、本発明のドラム式洗濯機では、前方に第１の開口部を有し水平方向または傾斜方向に回転軸を有する有底円筒状の回転ドラムと、前記第１の開口部に対応する第２の開口部を有し前記回転ドラムを回転自在に内包する有底円筒状の水受け槽と、前記水受け槽を揺動可能に支持し前記第１の開口部および第２の開口部に対応する第３の開口部を有する洗濯機本体と、前記洗濯機本体に設けられ前記回転ドラム内への洗濯物の出し入れのために第３の開口部を開閉する扉体と、前記回転ドラムを回転駆動するモータと、前記水受け槽内の洗濯水を加熱する加熱手段と、前記水受け槽内の洗濯水の温度を検知する温度検知手段と、前記水受け槽に連通し給水する第１の給水手段と、前記回転ドラムの第１の開口部より前記回転ドラム内に給水する第２の給水手段と、前記水受け槽内の洗濯水の水位を検知する水位検知手段と、前記水受け槽の底部に連通した排水経路の途中に設けられ前記水受け槽内の洗濯水の排水を制御する排水手段と、前記温度検知手段および水位検知手段等からのデータを入力し前記モータ、加熱手段、給水手段および排水手段等を制御して一連の洗濯、すすぎ、脱水動作を制御する制御手段とを備え、前記制御手段は、前記加熱手段を制御して洗濯水を第１の所定温度以上に加熱して洗濯を行う高温洗濯行程を有し、前記高温洗濯行程終了後の排水行程において、少なくとも前記第２の給水手段によって一部または全量の給水を行い、前記加熱された洗濯水が第２の所定温度になるまで、前記各給水手段および前記排水手段を制御して給水および排水を繰り返す冷却動作を実行するようにしたものである。
【００１６】
これによって、高温洗濯行程終了後の排水行程において、加熱された洗濯水が所定温度に下がるまで、給水および排水を繰り返す冷却動作を実行するようにしたことで、排水温度を下げることができ、排水経路の安全性を向上し、なおかつ高温洗濯後に使用者が安全にいつでも扉体を開けることができ、不安感を払拭できるとともに、利便性を向上することができる。
【発明の効果】
【００１７】
本発明の洗濯機は、高温洗濯行程後に、回転ドラム内に直接給水することで、扉体の内周面にも給水が散布され、回転ドラム内の洗濯物と洗濯水および扉体の温度を早く下げることができ、より使用者が安全に蓋を開けることができるとともに、冷却行程にかかる時間を短縮することができるので、排水経路の安全性を向上し、利便性を向上することができる。
【発明を実施するための最良の形態】
【００１８】
第１の発明は、前方に第１の開口部を有し水平方向または傾斜方向に回転軸を有する有底円筒状の回転ドラムと、前記第１の開口部に対応する第２の開口部を有し前記回転ドラムを回転自在に内包する有底円筒状の水受け槽と、前記水受け槽を揺動可能に支持し前記第１の開口部および第２の開口部に対応する第３の開口部を有する洗濯機本体と、前記洗濯機本体に設けられ前記回転ドラム内への洗濯物の出し入れのために第３の開口部を開閉する扉体と、前記回転ドラムを回転駆動するモータと、前記水受け槽内の洗濯水を加熱す
る加熱手段と、前記水受け槽内の洗濯水の温度を検知する温度検知手段と、前記水受け槽に連通し給水する第１の給水手段と、前記回転ドラムの第１の開口部より前記回転ドラム内に給水する第２の給水手段と、前記水受け槽内の洗濯水の水位を検知する水位検知手段と、前記水受け槽の底部に連通した排水経路の途中に設けられ前記水受け槽内の洗濯水の排水を制御する排水手段と、前記温度検知手段および水位検知手段等からのデータを入力し前記モータ、加熱手段、給水手段および排水手段等を制御して一連の洗濯、すすぎ、脱水動作を制御する制御手段とを備え、前記制御手段は、前記加熱手段を制御して洗濯水を第１の所定温度以上に加熱して洗濯を行う高温洗濯行程を有し、前記高温洗濯行程終了後の排水行程において、少なくとも前記第２の給水手段によって一部または全量の給水を行い、前記加熱された洗濯水が第２の所定温度になるまで、前記各給水手段および前記排水手段を制御して給水および排水を繰り返す冷却動作を実行するようにしたものであり、高温洗濯行程終了後の排水行程において、加熱された洗濯水が所定温度に下がるまで、給水および排水を繰り返す冷却動作を実行するようにしたことで、排水温度を下げることができ、排水経路の安全性を向上し、なおかつ高温洗濯後に使用者が安全にいつでも蓋を開けることができ、不安感を払拭できるとともに、利便性を向上することができる。
【００１９】
さらに、回転ドラム内に直接給水することで、扉体の内周面にも給水が散布され、回転ドラム内の洗濯物と洗濯水および扉体の温度を早く下げることができ、より使用者が安全に蓋を開けることができるとともに、冷却行程にかかる時間を短縮することができる。
【００２０】
第２の発明は、第１の発明において、高温洗濯行程時における水位が、加熱手段を動作しない通常の洗濯行程の水位より低い第１の所定水位となるように設定したものであり、高温洗濯行程後の排水前に、より多くの水量を給水できるので冷却効果が高まり、初期の排水温度を下げることができるため、排水経路の安全性を向上することができるとともに、早く洗濯水の温度を下げることができるため、冷却行程にかかる時間を短縮することができる。
【００２１】
第３の発明は、第１または第２の発明において、水受け槽には、前記水受け槽内の洗濯水の水位が第２の所定水位以上になると排水経路に溢水する溢水口を有し、制御手段は、冷却動作実行時における最高水位が、前記溢水口水位である第２の所定水位より低い第３の所定水位となるように設定したものであり、溢水口水位から排水経路に高温水が直接排水することを防ぐようにすることで、より排水経路の安全性を向上することができる。
【００２２】
第４の発明は、第３の発明において、冷却動作実行時、第３の所定水位にて第１の所定時間モータを制御し回転ドラムを回転駆動することで前記回転ドラム内の洗濯物と洗濯水を撹拌するように設定したものであり、水受け槽内の給水量が多い時点で攪拌することで、回転ドラム内の洗濯物と洗濯水の温度と、温度検知装置周辺の温度のムラをより少なくすることができるため、全体に均一に早く温度を下げることができ、高温洗濯後に使用者が安全に蓋を開けることができる。
【００２３】
第５の発明は、第４の発明において、冷却動作実行時、第３の所定水位にて第１の所定時間モータを制御し回転ドラムを回転駆動するとともに、前記第１の所定時間内に温度検知手段により洗濯水の温度を検知するようにしたものであり、回転ドラム内の洗濯物と洗濯水の温度と、温度検知装置周辺の温度のムラがより少ない状態で、温度を検知することができ、誤検知を少なくして、さらに高温洗濯後に使用者が安全に蓋を開けることができる。
【００２４】
第６の発明は、第５の発明において、冷却動作実行時、第３の所定水位にて第１の所定時間モータを制御し回転ドラムを回転駆動するとともに温度検知手段により洗濯水の温度を検知し、前記温度検知手段で検知した温度が、第２の所定温度即ち安全が確保される温
度より高い場合、第１の所定水位の近傍の第４の所定水位まで排水した後、再度第３の所定水位まで給水するようにしたものである。もし第２の所定温度以下になる以前に、冷却動作時に全排水をしてしまうと、温度検知装置周辺の温水がなくなることで、温度が正確に検知できなくなるが、前記構成により水受け槽内の温度を正確に検知できるので、温度が高い状態では蓋を開けられない構成とすることにより、使用者がより安全な状態で蓋の操作をすることができる。
【００２５】
第７の発明は、第５または第６に記載の発明において、冷却動作実行時、第３の所定水位にて第１の所定時間モータを制御し回転ドラムを回転駆動するとともに温度検知手段により洗濯水の温度を検知し、前記温度検知手段で検知した温度が第２の所定温度以下即ち安全が確保できた場合、水受け槽内の洗濯水をすべて排水した後、次行程に移行するように制御したものであり、回転ドラム内の洗濯物と洗濯水および蓋の温度が必ず安全な温度に下がるまで温度検知装置を動作させることができ、使用者がより安全な状態で蓋を開けることができる。
【００２６】
以下、本発明の実施の形態について、図面を参照しながら説明する。なおこの実施の形態によって本発明が限定されるものではない。
【００２７】
（実施の形態１）
図１は、本発明の第１の実施の形態に於けるドラム式洗濯機の縦断面図、図２は、同ドラム式洗濯機の一部ブロック化した制御回路図である。
【００２８】
図１に示すように、回転ドラム２４は、有底円筒形に形成し外周部に多数の通水孔２５を全面に設け、水受け槽２６内に回転自在に配設している。回転ドラム２４の回転中心に略傾斜方向に回転軸（回転中心軸）２７を設け、回転ドラム２４の軸心方向を正面側から背面側に向けて下向きに傾斜させて配設している。この回転軸２７に、水受け槽２６の背面に取り付けたモータ２８を連結し、回転ドラム２４を正転、逆転方向に回転駆動する。回転ドラム２４の内壁面に数個の突起板２９を設けて衣類の撹拌をしやすくしている。
【００２９】
水受け槽２６の正面側の上向き傾斜面に設けた開口部を蓋体３０により開閉自在に覆い、この蓋体３０を開くことにより衣類出入口３１を通して回転ドラム２４内に洗濯物を出し入れできるようにしている。蓋体３０を上向き傾斜面に設けているため、洗濯物を出し入れする際、腰を屈めることなく行うことができる。なお、前記蓋体３０は、運転動作中の使用者の安性を保持するためフタロック４０を動作せしめて開かないようにすることが可能な構成を有する。
【００３０】
水受け槽２６は洗濯機本体３２よりばね３３とダンパー３４により揺動可能に吊り下げ防振支持すると共に、水受け槽２６の下部の排水口３５に一端を接続した排水経路３５ａは他端を排水弁（排水手段）３６に接続して水受け槽２６内の洗濯水を排水するようにしている。給水弁（給水手段）３７は洗剤投入ケース３７ａおよび給水経路３８ａを通して水受け槽２６内に水を給水するものである。なお、給水弁３７には、第２の給水経路３８ｃを経由して回転ドラム２４の上方より内部へ給水が可能な第２の給水手段３８ｂにも連通している。
【００３１】
水位検知手段３９は水受け槽２６内の水位を検知するものである。また、水受け槽２６の下方内底部に洗濯水を加熱するシーズヒータ等からなるヒータ（加熱手段）４１と洗濯水の温度を検知する温度検知手段４２を備え、回転ドラム２４内の洗濯物の洗浄効果を高める温水洗浄する機能を有している。
【００３２】
水受け槽２６の側壁には溢水口４９を設け、水量がこの溢水口４９の水位以上になると
、溢水（オーバーフロー）するように構成している。溢水口４９には、オーバーフロー経路（溢水経路）４９ａの一端が接続され、そのオーバーフロー経路（溢水経路）４９ａの他端は、排水弁３６の下流側の排水経路３５ｂに接続されている。
【００３３】
なお、本実施の形態では、回転ドラム２４の回転中心に略傾斜方向に回転軸２７を設け、回転ドラム２４の軸心方向を正面側から背面側に向けて下向きに傾斜させて配設しているが、回転ドラム２４の回転中心に略水平方向に回転軸２７を設け、回転ドラム２４の軸心方向を略水平方向に配設してもよい。
【００３４】
制御装置４３は、図２に示すような回路構成をしており、モータ２８、排水弁３６、給水弁３７、ヒータ４１などの動作を制御し、洗濯、すすぎ、脱水の一連の行程を逐次制御するマイクロコンピュータからなる制御手段４４を有している。制御手段４４は、運転コース等を設定するための入力設定手段４５からの情報を入力して、その情報を基に表示手段４６で表示して使用者に知らせるとともに、入力設定手段４５により運転開始が設定されると、水受け槽２６内の水位を検知する水位検知手段３９等からのデータを入力して負荷駆動手段４７を介して、排水弁３６、給水弁３７、ヒータ４１などの動作を制御し、洗濯運転を行う。
【００３５】
図３は第１の実施の形態におけるドラム式洗濯機の入力設定手段および表示手段の拡大正面図である。
【００３６】
入力設定手段４５は、図３に示すように、洗い時間を設定する洗い時間設定スイッチ４５ａ、すすぎ回数を設定するすすぎ回数設定スイッチ４５ｂ、脱水時間を設定する脱水時間設定スイッチ４５ｃ、スタート・一時停止スイッチ４５ｅ、電源入りスイッチ４５ｆ、電源切りスイッチ４５ｇ、水位変更入力設定スイッチ４５ｈ、水温変更入力スイッチ４５ｉを有している。
【００３７】
表示手段４６は、同じく図３に示すように、洗い時間表示部４６ａ、すすぎ回数表示部４６ｂ、脱水時間表示部４６ｃ、第２のコース設定スイッチ４５ｄで設定されるコースを表示するコース設定表示部４６ｄ、水位表示部（水位表示手段）４６ｅ、水温表示部４６ｆ、残り時間表示部４６ｇ蓋ロック表示部４６ｈ等を有している。
【００３８】
図４は第１の実施の形態におけるドラム式洗濯機の要部動作フローチャートである。
【００３９】
図４に従って動作を説明すると、使用者が蓋体３０を開いて回転ドラム２４内に洗濯物を投入し再び蓋体３０を閉じると、ステップ１００で動作が開始し、使用者はステップ１０１で電源スイッチ４５ｆをオンした後、ステップ１０２でコース設定スイッチ４５ｄを操作してコースを設定する。更にステップ１０３で水位、水温、洗い時間、すすぎ回数、脱水時間の設定に変更が有るか否かを判断し、変更が有る場合は、洗い時間設定スイッチ４５ａ、すすぎ回数設定スイッチ４５ｂ、脱水時間設定スイッチ４５ｃ、水位変更入力設定スイッチ４５ｈ、水温変更入力スイッチ４５ｉを操作して、各設定の変更を行い、ステップ１０４で表示手段４６に変更内容の表示を確認する。変更がない場合はステップ１０５即ち制御装置４３に設けたスタートスイッチ４５ｅを操作して運転を開始すると、ステップ１０６で制御手段４４によりフタロック４０を閉める。ステップ１０７で給水弁３７を動作して給水し、ステップ１０８では水位検知手段３９により所定の水位まで給水されたか否かを判断する。
【００４０】
所定の水位まで給水されたと判定された場合、ステップ１０９にて洗濯行程に移行し、モータ２８を駆動して回転ドラム２４の攪拌回転を開始する。所定の水位でない場合はステップ１０７に戻る。洗濯行程では、洗濯物が水分を吸水する為水位が低下するので不足
分を補給水しながら、回転ドラム２４をモータ２８によって回転数Ｎで回転駆動せしめる。回転ドラム２４内の洗濯物は突起板２９に持ち上げられ、水面上あるいは他の衣類や回転ドラム２４内底部に落下する。
【００４１】
ステップ１１０では加熱手段が必要な水温を設定したか否かを確認し、加熱手段が必要な水温に設定した場合には、ステップ１１１にて制御装置４３は制御手段４４および負荷駆動手段４７を介してヒータ４１を制御して、洗濯水を加熱する。ステップ１１０で加熱手段が必要な水温に設定していない場合にはステップ１１４に移行する。ステップ１１２では温度検知装置４２にて、洗濯水の温度Ｔが第１の所定温度Ｔ１（例えば９０℃）以上に加熱しているか否かを判断して、加熱している場合は、ヒータ４１の制御を終了する。
【００４２】
ステップ１１４では所定の洗い時間が経過したか否かを判断し、経過している場合はステップ１１５にて洗濯行程を終了して、制御手段４４でモータ２８の駆動を止めて回転ドラム２４の攪拌回転を停止する。
【００４３】
ステップ１１６では、温度検知装置４２にて、洗濯水の温度Ｔが第２の所定温度Ｔ２（例えば５５℃）より高い温度で有るか否かを判断して、Ｔ２より高い温度である場合、ステップ１１７〜１２０の冷却動作に移行する。Ｔ２以下の温度の場合はステップ１２１に移行する。上記冷却動作では、ステップ１１７で給水弁３７を動作して給水を行い、ステップ１１８で排水弁３６を動作して排水を行い、さらにステップ１１９で給水弁３７を動作して給水を行った後、ステップ１２０で洗濯水の温度Ｔが所定温度Ｔ２以下で有るか否かを判断する。Ｔ２以下の場合はステップ１２１に移行して、制御手段４４は排水弁３６を動作して水受け槽２６内の洗濯水を全て排水する。Ｔ２より高い場合は、ステップ１１８に戻り、再びステップ１１８の排水、ステップ１１９の給水を繰り返す。
【００４４】
ステップ１２２にて制御手段４４はフタロック４０を解除して蓋体３０を開けられる状態にすると同時に、フタロック表示部４６ｈに解除表示をする。次いでステップ１２３で次行程に移行する。
【００４５】
また、洗濯工程中に使用者の意図により運転一時停止をして蓋を開ける選択をした場合に、洗濯水が第２の所定温度Ｔ２（例えば５５℃）以上と検知すると、前記冷却動作を行って、洗濯水温度が前記第２の所定温度以下と判定した後、排水を行ってからフタロック４０を解除する。
【００４６】
以上のように、高温洗濯行程終了後の排水行程において、加熱された洗濯水が所定温度に下がるまで、給水および排水を繰り返す冷却動作を実行するようにしたことで、排水温度を下げることができ、排水経路の安全性を向上し、なおかつ高温洗濯後に使用者が安全にいつでも蓋を開けることができ、不安感を払拭できるとともに、利便性を向上することができる。
【００４７】
（実施の形態２）
図５は本発明の第２の実施の形態のドラム式洗濯機の冷却動作行程図である。本実施の形態２の縦断面図およびブロック制御回路図は、実施の形態１と同じ、図１および図２を使用して説明する。
【００４８】
図５に示すように、制御手段４４は高温洗濯行程における水位Ｓ１を、加熱手段を動作しない通常の洗濯行程の水位Ｓ２より低く設定するようにしている。他の構成は上記実施の形態１と同じである。
【００４９】
上記構成において動作を説明すると、使用者が水温変更入力スイッチ４５ｉで水温を高
温（例えば９０℃）に選択した場合には、水位は自動的に水道水など加熱手段を動作しない通常の洗濯行程の水位Ｓ２（例えば８５ｍｍ）よりも低い所定水位Ｓ１（例えば６０ｍｍ）に設定される。このため、高温になる洗濯水の水量は水位Ｓ２がより水位Ｓ１の方が少なくなる。また前記実施の形態１と同様に高温洗濯行程を行った後、次の排水工程に移行した際には、初期に、溢水口水位より低く設定された所定の上限水位Ｓ３（例えば１３０ｍｍ）まで給水される水量が、水位Ｓ２より水位Ｓ１の方がより多く給水される。給水後、排水される水の温度は、数１のように、計算される。この数式を使用して水位Ｓ２の場合と、水位１の場合の排水される水温を計算すれば数２のようになり、低い所定水位Ｓ１即ち高温洗濯工程の方が、高い水位Ｓ２即ち加熱しない通常洗濯工程の場合より、排水時の温度が下がることとなる。
【００５０】
【数１】
0004591285.tif 000002
【００５１】
【数２】
0004591285.tif 000003
【００５２】
以上のように、高温洗濯行程後の排水前により多く給水することで、さらに最初の排水温度を下げることができるため、排水経路の安全性を向上することができるとともに、早く洗濯水の温度を下げることができるため、冷却行程にかかる時間を短縮することができる。
【００５３】
以下、実施の形態３、形態４、形態５、形態６、形態７、形態８の説明は、実施の形態２と同様の図１、図２、図５を使用して説明する。
【００５４】
（実施の形態３）
図１、図２、図５に示すように、水受け槽２６には、前記水受け槽２６内の洗濯水の水位が所定水位Ｓ４以上になると排水経路に洗濯水を溢水する溢水口４９を有し、制御手段４４は、冷却動作実行時における最高水位が、前記の溢水する所定水位Ｓ４より低い第３の所定水位Ｓ３となるようにしている。他の構成は上記実施の形態１および２と同じである。
【００５５】
上記構成において動作を説明すると、冷却動作実行時において、まず給水弁３７を動作して、溢水口の高さに設定した所定水位Ｓ４（例えば２００ｍｍ）より低い第３の所定水位Ｓ３（例えば１３０ｍｍ）まで給水を行う。その後、排水弁３６を動作して排水を行う。次いで、再度所定水位Ｓ３まで給水を行う。このように回転ドラム２４内の洗濯水の温度が第２の所定温度Ｔ２（例えば５５℃）以下になるまで、給水、排水を繰り返し行う。
【００５６】
以上のように、給水時の最高水位Ｓ３を溢水口４９の高さ水位Ｓ４（例えば２００ｍｍ）より低く設定することで、排水経路に高温水が直接溢水口から排水することを防ぐようにすることでき、より排水経路の安全性を向上することができる。
【００５７】
（実施の形態４）
図１、図２、図５に示すように、制御手段４４は、第３の所定水位Ｓ３にて第１の所定時間Ｔ１の間、モータ２８を制御し回転ドラム２４を回転駆動するようにしている。他の構成は上記実施の形態１〜３と同じである。
【００５８】
上記構成において動作説明すると、冷却動作実行時において、まず給水手段である給水弁３７を動作して、第３の所定水位Ｓ３（例えば１３０ｍｍ）まで給水を行い、第１の所定時間（例えば１分）、制御手段４４にてモータ２８を駆動して回転ドラム２４を正転または逆転方向に回転駆動して、回転ドラム２４内の洗濯物と洗濯水を攪拌する。その後、排水弁３６を動作してＳ５水位（例えば４０ｍｍ）まで排水を行う。次いで、再度所定水位Ｓ３まで給水を行い、攪拌をする。以上の様な動作にて回転ドラム２４内の洗濯水の温度が第２の所定温度Ｔ２（例えば５５℃）以下になるまで、給水、攪拌、排水を繰り返し行う。
【００５９】
上記のように、給水量が多い時点で所定時間攪拌することで、回転ドラム内の洗濯物と洗濯水の温度と、温度検知装置周辺の温度のムラをより少なくすることができるため、全体に均一に早く温度を下げることができ、高温洗濯後に使用者が安全に蓋を開けることができる。
【００６０】
（実施の形態５）
図１、図２、図５に示すように、制御手段４４は、第３の所定水位Ｓ３にて第１の所定時間Ｔ１、モータ２８を制御し回転ドラム２４を回転駆動するともに、温度検知手段４２により洗濯水の温度を検知するようにしたものである。他の構成は上記実施の形態１〜４と同じである。
【００６１】
上記構成において動作を説明すると、冷却動作実行時において、まず給水弁１５を動作して、第３の所定水位Ｓ３（例えば１３０ｍｍ）まで給水を行い、第１の所定時間（例えば１分）、制御手段４４にてモータ２８を駆動して回転ドラム２４を正転または逆転方向に回転駆動して、回転ドラム２４内の洗濯物と洗濯水を攪拌するとともに、前記第１の所定時間Ｔ１内で温度検知手段４２により洗濯水の温度を検知する。その後、排水弁３６を動作してＳ５水位（例えば４０ｍｍ）まで排水を行う。次いで、再度所定水位Ｓ３まで給水を行い、攪拌を行うとともに洗濯水の温度を検知する。このように回転ドラム２４内の洗濯水の温度が第２の所定温度Ｔ２（例えば５５℃）以下になるまで、給水、攪拌、温度検知、排水を繰り返し行う。
【００６２】
以上のように、給水量が多い時点で所定時間攪拌する間に温度検知を行うことで、より回転ドラム内の洗濯物と洗濯水の温度と、温度検知装置周辺の温度のムラがより少ない状態で、温度を検知することができ、誤検知を少なくして、さらに高温洗濯後に使用者が安全に蓋を開けることができる。
【００６３】
（実施の形態６）
図１、図２、図５に示すように、制御手段４４は、第３の所定水位Ｓ３にて第１の所定時間Ｔ１、モータ２８を制御し回転ドラム２４を回転駆動するともに、温度検知手段により検知した洗濯水の温度が第２の所定温度Ｔ２より高い場合、第１の所定水位の近傍の第４の所定水位Ｓ５（例えば水位４０ｍｍ）まで排水した後、再度第３の所定水位まで給水するようにしたものである。他の構成は実施の形態１〜５と同じである。
【００６４】
上記構成において動作を説明すると、冷却動作実行時において、まず給水弁３７を動作して、第３の所定水位Ｓ３（例えば１３０ｍｍ）まで給水を行い、第１の所定時間（例えば１分）、制御手段４４にてモータ２８を駆動して回転ドラム２４を正転または逆転方向に回転駆動して、回転ドラム２４内の洗濯物と洗濯水を攪拌するとともに、前記第１の所定時間Ｔ１内で温度検知手段４２により洗濯水の温度を検知する。その時、前記検知温度が第２の所定温度Ｔ２（例えば５５℃）より高い場合、次の排水工程にて第１の所定水位Ｓ１（例えば６０ｍｍ）の近傍の第５の所定水位Ｓ５（例えば４０ｍｍ）まで排水し、洗濯水が完全には排水されない制御を行う。次いで、再度所定水位Ｓ３まで給水を行い、攪
拌を行うとともに洗濯水の温度を検知する。このように回転ドラム２４内の洗濯水の温度が第２の所定温度Ｔ２（例えば５５℃）以下になるまで、給水、攪拌、温度検知、排水を繰り返し行う。
【００６５】
以上のように、第２の所定温度以下になるまで、冷却動作時に洗濯水を完全には排水しないように制御すると、全排水時のように温度検知装置周辺の温水がなくなることで、温度が正確に検知できなくなり蓋の温度が高温の状態でも開けることができるような不具合状態になるのを防ぐことができ、使用者がより安全な状態で蓋を開けることができる。
【００６６】
（実施の形態７）
図１、図２、図５に示すように、制御手段４４は、第３の所定水位Ｓ３にて第１の所定時間Ｔ１、モータ２８を制御し回転ドラム２４を回転駆動するともに、温度検知手段４２により検知した洗濯水の温度が第２の所定温度Ｔ２以下の場合、水受け槽内の洗濯水をすべて排水した後、次行程に移行するようにしたものである。他の構成は実施の形態１〜６と同じである。
【００６７】
上記構成において動作を説明すると、冷却動作実行時において、まず給水弁３７を動作して、第３の所定水位Ｓ３（例えば１３０ｍｍ）まで給水を行い、第１の所定時間（例えば１分）、制御手段４４にてモータ２８を駆動して回転ドラム２４を正転または逆転方向に回転駆動して、回転ドラム２４内の洗濯物と洗濯水を攪拌するとともに、前記第１の所定時間Ｔ１内で温度検知手段４２により洗濯水の温度を検知する。その時、前記検知温度が第２の所定温度Ｔ２（例えば５５℃）以下の場合、水受け槽２６内の洗濯水をすべて排水した後、次行程に移行する。
【００６８】
以上のように、第２の所定温度以下になるまでは、冷却動作時に全排水をしないように制御することにより、回転ドラム内の洗濯物と洗濯水および蓋の温度が必ず安全な温度に下がるまで温度検知装置を動作させることができ、使用者がより安全な状態で蓋を開けることができる。
【００６９】
（実施の形態８）
図１、図２、図５に示すように、給水手段３８は、水受け槽２６に連通し給水する第１の給水手段３８ａと、回転ドラム１の第１の開口部より前記回転ドラム内２４に給水する第２の給水手段３８ｂとからなり、少なくとも高温洗濯行程終了直後の給水の一部または全量は、前記第２の給水手段３８ｂによって行うようにしている。他の構成は上記実施の形態１〜７と同じである。
【００７０】
上記構成において動作を説明すると、冷却動作実行時において給水する際に、高温洗濯行程終了直後は、回転ドラム２４及び水受け槽２６上方の構成した第２の給水手段３８ｂを動作して一部または全量の給水を第３の所定水位Ｓ３（例えば１３０ｍｍ）まで給水する。給水された水は直接回転ドラム２４内の洗濯物と蓋周辺に注がれて、水温等を低下させる。
【００７１】
以上のように、回転ドラム１内に直接給水することで、回転ドラム２４内の洗濯物と洗濯水および蓋の温度を早く下げることができ、より使用者が安全に蓋を開けることができるとともに、冷却行程にかかる時間を短縮することができる。
【産業上の利用可能性】
【００７２】
以上のように、本発明にかかるドラム式洗濯機は、高温洗濯行程終了後の排水行程において、加熱された洗濯水が所定温度に下がるまで、給水および排水を繰り返す冷却動作を実行するようにしたことで、排水する洗濯水の温度を下げることができ、排水経路の安全
性を向上し、なおかつ高温洗濯後に使用者が安全にいつでも蓋を開けることができ、不安感を払拭できができるので、乾燥機能のついたドラム式洗濯機にも利用可能である。
【図面の簡単な説明】
【００７３】
【図１】本発明の実施の形態１におけるドラム式洗濯機の縦断面図
【図２】同ドラム式洗濯機のブロック制御回路図
【図３】同ドラム式洗濯機の入力設定手段および表示手段の拡大正面図
【図４】同ドラム式洗濯機の要部動作フローチャート
【図５】同ドラム式洗濯機の冷却動作工程図
【図６】従来のドラム式洗濯機の縦断面図
【符号の説明】
【００７４】
２４  回転ドラム
２６  水受け槽
２７  回転軸（回転中心軸）
２８  モータ
３０  蓋（扉体）
３２  洗濯機本体
３６  排水弁（排水手段）
３７  給水弁（給水手段）
３９  水位検知手段
４１  ヒータ（加熱手段）
４２  温度検知手段
【図１】
0004591285.tif 000004
【図２】
0004591285.tif 000005
【図３】
0004591285.tif 000006
【図４】
0004591285.tif 000007
【図５】
0004591285.tif 000008
【図６】
0004591285.tif 000009